(57)【要約】  通信システム、例えば、ＵＭＴＳ（ユニバーサル移動体通信システム）は、基地局と、複数の移動局とを備える。通常の動作において、移動局は、一定のスペクトル拡散チャネル（ＤＰＤＣＨ、ＤＰＣＣＨ）上で連続的にアップリンク送信を行う。これらのアップリンク送信のための最大許容電力（Ｐｍａｘ）が指定される。しかし、例えば、基地局からパケット・データを受信するとき、受信移動局が、基地局によって指定された電力レベルで、肯定応答（ＡＣＫ）または否定応答（ＮＡＣＫ）を送信しなければならない場合がある。移動局の送信電力を最大許容電力以内に維持するため、ＡＣＫまたはＮＡＣＫを連続アップリンク信号と並行して送信するのに必要とされる総電力が決定され、これがＰｍａｘを上回る場合、ＡＣＫまたはＮＡＣＫの送信に十分な電力を割り当てるため、少なくともＤＰＤＣＨおよびＤＰＣＣＨチャネルの電力がスケーリングされる。電力スケーリングは、ＡＣＫまたはＮＡＣＫのどちらか大部分の電力を必要とするほうのために必要とされる電力に基づいて実行される。これは、ＡＣＫまたはＮＡＣＫのどちらが送信されるべきにしろ、移動体が利用可能な時間を短縮することを回避する。
2007502563.tif 000002
【特許請求の範囲】
【請求項１】
第１の局と第２の局とを備える通信システムを操作する方法であって、
前記第１および第２の局は各々送受信手段を含み、
前記第２の局は、前記第１の局に第１の信号を送信し、
前記送信される第１の信号の電力は、所定の最大レベルを上回らず、
一組の可能な付加信号のいずれか１つを送信することを望む前記第２の局に応答して、前記第１の信号の前記送信電力が、続いて送信される前記一組の可能な付加信号のうちのすべての付加信号のなかで電力要求のより大きな（または最大の）ものを考慮した量だけスケーリングされる方法。
【請求項２】
前記可能な付加信号の一組は、肯定応答信号および否定応答信号を含み、
前記肯定応答信号または前記否定応答信号の一方は、他方とは相互に異なる電力レベルで送信され、
前記第１の信号の前記送信電力の前記スケーリングは、前記肯定応答信号または前記否定応答信号のより電力が高いほうが送信されるものとすることを特徴とする、請求項１に記載の方法。
【請求項３】
前記第１の信号は第１のフレームまたはタイムスロットで送信され、
前記付加信号は第２のフレームまたはタイムスロットで送信され、
前記第１のフレームまたはタイムスロット間の境界は、前記第２のフレームまたはタイムスロット間の境界と一致せず、
前記第１の信号の前記送信電力は、前記付加信号の送信直前の前記フレームまたはタイムスロット境界でスケーリングされることを特徴とする、請求項１または請求項２に記載の方法。
【請求項４】
前記第２の局は、連続する第１のフレームまたはタイムスロットで実質的に連続して前記第１の信号を送信し、
前記第１の局は、可能な付加信号の一組から選択された少なくとも１つの付加信号から成る応答を必要とするデータ・パケットを前記第２の局に送信し、
前記第１の局は、前記第１のフレームまたはタイムスロットの前記境界とはその境界が異なる第２のフレームまたはタイムスロットで応答が送信されることを必要とし、
少なくとも前記第１の信号の電力レベルは、前記第２のタイムスロットの発生直前の前記第１のフレームまたはタイムスロットの前記境界でスケーリングされることを特徴とする、請求項１に記載の方法。
【請求項５】
前記第２の局は、前記第１の信号と可能な付加信号の一組に属するすべての付加信号との組み合わせの電力要求が、前記所定の最大レベルを上回るかどうかを決定し、上回る場合、前記第２の局は、前記第１の信号の前記電力要求をスケーリングすることを特徴とする、請求項１から請求項４のいずれか１項に記載の方法。
【請求項６】
前記スケーリングは、電力低減をもたらすことを特徴とする、請求項１から請求項５のいずれか１項に記載の方法。
【請求項７】
前記第１の信号の前記電力を増加させる要求と同時に発生した前記スケーリングに応答して、前記スケーリングは、前記要求よりも少ない増加を結果としてもたらすことを特徴とする、請求項１から請求項５のいずれか１項に記載の方法。
【請求項８】
電力を増加させる前記要求は、通常の電力制御プロセスに起因することを特徴とする、請求項７に記載の方法。
【請求項９】
前記通常の電力制御プロセスは、閉ループ・プロセスであり、該閉ループ・プロセスでは、前記第２の局は、電力を変更するためのコマンドを前記第１の局から受信することを特徴とする、請求項８に記載の方法。
【請求項１０】
電力を増加させる前記要求は、少なくとも部分的には、前記第２の局から送信されるデータ信号のフォーマットの変更またはパラメータの変更に起因することを特徴とする、請求項７または請求項８に記載の方法。
【請求項１１】
前記第１の信号および前記可能な付加信号が、スペクトル拡散信号として送信されることを特徴とする、請求項１から請求項１０のいずれか１項に記載の方法。
【請求項１２】
第１の局と第２の局とを備える通信システムであって、
前記第１および第２の局は、送受信手段を含み、前記第２の局は、前記第１の局に送信される第１の信号の送信電力レベルを制御するための電力制御手段を含み、
前記電力制御手段は、前記第２の局が一組の可能な付加信号のうちのいずれか１つを前記第１の信号と同時に送信することを望んでいることの決定に応答して、前記第１の信号の送信電力を、続いて送信される前記可能な付加信号の一組のうちのすべての付加信号のなかで電力要求のより大きな（または最大の）ものを考慮した量だけスケーリングするように適合されたシステム。
【請求項１３】
前記第２の局は、前記第１の信号と可能な付加信号の一組との組み合わせの電力要求が所定の最大レベルを上回ることを決定した前記電力制御手段に応答して、前記第１の信号の前記電力要求をスケーリングするように適合された電力スケーリング手段を含むことを特徴とする、請求項１２に記載のシステム。
【請求項１４】
前記電力スケーリング手段は、前記第１の信号の電力を増加させる要求と同時に発生した前記スケーリングに応答して、前記スケーリングにおいて前記要求よりも少ない増加をもたらすように適合されることを特徴とする、請求項１２または請求項１３に記載のシステム。
【請求項１５】
前記第１の局の電力制御手段は、前記第２の局と共に閉ループ電力制御プロセスをもたらし、前記第１の局の手段が、電力を変更するよう前記第２の局に指示するコマンドを生成することを特徴とする、請求項１４に記載のシステム。
【請求項１６】
前記第１の局の電力制御手段は、少なくとも部分的には、前記第２の局から送信されるデータ信号のフォーマットの変更またはパラメータの変更に起因して、電力を増加させるためのコマンドを生成するように適合されていることを特徴とする、請求項１５に記載のシステム。
【請求項１７】
前記送受信手段は、スペクトル拡散送受信手段であることを特徴とする、請求項１２から請求項１６に記載のシステム。
【請求項１８】
第１の局と第２の局とを備える通信システムにおいて使用される第２の局であって、
前記第２の局は、前記第１の局と通信するための送受信手段と、前記第１の局に送信される第１の信号の送信電力レベルを制御するための電力制御手段とを含み、
前記電力制御手段は、前記第２の局が一組の可能な付加信号のいずれか１つを前記第１の信号と同時に送信することを望んでいることの決定に応答して、前記第１の信号の送信電力を、続いて送信される前記可能な付加信号の一組のうちのすべての付加信号のなかで電力要求のより大きな（または最大の）ものを考慮した量だけスケーリングするように適合された第２の局。
【請求項１９】
前記第１の信号と前記一組の可能な付加信号との組み合わせの電力要求が所定の最大レベルを上回ることを決定した前記電力制御手段に応答して、前記第１の信号の前記電力要求をスケーリングするように適合された電力スケーリング手段によって特徴付けられている、請求項１８に記載の第２の局。
【請求項２０】
前記電力スケーリング手段は、前記第１の信号の電力を増加させる要求と同時に発生した前記スケーリングに応答して、前記スケーリングにおいて前記要求よりも少ない増加をもたらすように適合されることを特徴とする、請求項１９に記載の第２の局。
【請求項２１】
前記第２の局の電力制御手段は、前記第１の局によって生成される、電力の変更をもたらすためのコマンドに応答することを特徴とする、請求項２０に記載の第２の局。
【請求項２２】
前記送受信手段は、スペクトル拡散送受信手段であることを特徴とする、請求項１８または請求項２１のいずれか１項に記載の第２の局。
【発明の詳細な説明】
【技術分野】
【０００１】
本発明は、通信システム、通信システムで使用される局、および通信システムを操作する方法に関する。本発明は、特に、しかしこれに限定はしないが、ＵＭＴＳ（ユニバーサル移動体通信システム）などのスペクトル拡散方式に対する用途を有する。
【背景技術】
【０００２】
移動通信システムの端末は通常、物理的な制約によって、またはコントローラから受信される指示に応じて設定され得る最大送信電力限界を有する。
【０００３】
通信システムでは、端末が第１の信号を送信している間、端末の最大送信電力限界を上回る必要のある付加信号を同時に送信する必要が時に生じる場合がある。そのような場合、最大電力限界を侵害することなく送信される（単数または複数の）付加信号に十分な電力を許可するために第１の信号の送信電力を低減すること、または（単数または複数の）付加信号を送信できるようにするために第１の信号の一部または全部をオフに切り換えることを含む、様々なアプローチが採用され得る。
【０００４】
いくつかのシステムでは、フレームまたはタイムスロット境界などの特定の時間的瞬間においてだけ、第１の信号の送信電力の低減を実行することが可能である。これらの時間瞬間は、（単数または複数の）付加信号の送信が開始しなければならない時間に一致しないこともあり得る。この問題を克服する方法は、（単数または複数の）付加信号の送信に先立って送信電力の低減を実行することである。
【０００５】
そのような状況では、例えば、端末が受信信号のＣＲＣ（巡回冗長検査）などの重要な特徴を評価するのに十分な時間がないために、第１の信号の送信電力の低減が実行されなければならない時点で、（単数または複数の）付加信号の正確な性質がまだ分かっていないこともあり得る。異なるタイプの付加信号は、異なる送信電力要求を有する場合がある。
【発明の開示】
【発明が解決しようとする課題】
【０００６】
本発明の目的は、所定の最大電力限界を上回ることなく、タイムリーに付加信号を送信することを可能にすることである。
【課題を解決するための手段】
【０００７】
本発明の第１の態様によれば、第１の局と第２の局とを備える通信システムを操作する方法が提供され、第１および第２の局は各々、送受信手段を含み、第２の局は、第１の局に第１の信号を送信し、送信される第１の信号の電力は、所定の最大レベルを上回らず、一組の可能な付加信号のいずれか１つを送信することを望む第２の局に応答して、第１の信号の送信電力が、続いて送信される一組の可能な付加信号のうちすべての付加信号のなかで電力要求のより大きな（または最大の）ものを考慮した量だけスケーリングされる。
【０００８】
本発明の第２の態様によれば、第１の局と第２の局とを備える通信システムが提供され、第１および第２の局は、送受信手段を含み、第２の局は、第１の局に送信される第１の信号の送信電力レベルを制御するための電力制御手段を含み、電力制御手段は、一組の可能な付加信号のうちのいずれか１つを第１の信号と同時に送信することを第２の局が望んでいることの決定に応答して、第１の信号の送信電力を、続いて送信される一組の可能な付加信号のうちのすべての付加信号のなかで電力要求のより大きな（または最大の）ものを考慮した量だけスケーリングするように適合されている。
【０００９】
本発明の第３の態様によれば、第１の局と第２の局とを備える通信システムにおいて使用される第２の局が提供され、第２の局は、第１の局と通信するための送受信手段と、第１の局に送信される第１の信号の送信電力レベルを制御するための電力制御手段とを含み、電力制御手段は、一組の可能な付加信号のうちのいずれか１つを第１の信号と同時に送信することを第２の局が望んでいることの決定に応答して、第１の信号の送信電力を、続いて送信される一組の可能な付加信号のうちのすべての負荷信号のなかで電力要求のより大きな（または最大の）ものを考慮した量だけスケーリングするように適合される。
【００１０】
本発明による方法は、どのタイプの付加信号が送信されるべきかについてより早い決定を行うよう求める要求、または最も都合の良いもしくは必要とされる瞬間以外の何らかの時点で第１の信号の電力の低減を行うよう求める要求を端末に課すことを回避する。
【００１１】
以下、本発明が、添付の図面を参照しながら例によって説明される。
【００１２】
図面中、同じ参照番号は、類似する機能を指示するために使用される。
【発明を実施するための最良の形態】
【００１３】
ＵＭＴＳ通信システムは、少なくとも１つの基地局ＢＳと、複数の移動局ＭＳとを備え、そのようなシステムの１つが、図１に示されている。移動局は、（単数または複数の）基地局の無線カバレージ内を動き回ることができ、（単数または複数の）基地局からのダウンリンク上および移動局からのアップリンク上で、スペクトル拡散信号方式によって無線通信を維持することができる。スペクトル拡散信号方式で慣例的なように、いくつかの信号が同時に送信されることができ、各信号はシグネチャの組から選択されたそれ自体のシグネチャまたは拡散符号を有する。さらに、電力制御は、より弱い信号がより強い信号に埋没しないようにすることを達成しなければならない。したがって、基地局は、移動局がアップリンク上で送信することができる最大電力を指定することができる。
【００１４】
図１を参照すると、基地局ＢＳは、システムの維持と信号の送受信とに関係する多くの機能を実行するコントローラ１０によって制御される。トランシーバ１２は、スペクトル拡散信号の送受信のためにアンテナ１４に結合される。外部のデータ源１６は、データがパケットにフォーマットされているベースバンド・ステージ１８に結合される。データ・パケットは、コントローラ１０の制御下でコード・ストア２２から得られる、例えば擬似ランダム符号などのシグネチャを乗算器２０においてデータ・パケットに乗じることによって、送信のために準備される。スペクトル拡散信号は、変調および送信のためにトランシーバに受け渡される。
【００１５】
アンテナで受信される信号の場合、信号は復調され、復調信号に適切なシグネチャを乗じることによって逆拡散される。その後、逆拡散信号は、ベースバンド・ステージ１８に受け渡される。
【００１６】
移動局ＭＳは、信号の送受信を含む移動局の動作に関係する多くの機能を実行するコントローラ３０によって制御される。説明の都合上、また本発明の理解を容易にするため、コントローラ３０は、マイクロプロセッサ３２と、送信電力コントローラ３４と、電力スケーラ３６とを備えるものとして示されている。トランシーバ３８は、スペクトル拡散信号の送信および基地局ＢＳからのスペクトル拡散信号の受信のためにアンテナ４０に結合される。マン／マシン・インタフェース４２は、ベースバンド・データ・フォーマットおよび逆フォーマット・ステージと、データ入力手段と、データ出力手段とを含み、マイクロプロセッサ３２の制御下でコード・ストア４６から得られる、例えば擬似ランダム符号などのシグネチャが供給される乗算器４４に結合される。アップリンク上で送信される信号は、拡散され、変調および送信のためにトランシーバ３８に受け渡される。
【００１７】
アンテナ４０で受信されるダウンリンク信号の場合、信号は復調され、復調信号に適切なシグネチャを乗じることによって逆拡散される。その後、逆拡散信号は、マン／マシン・インタフェース４２に受け渡される。
【００１８】
ＵＭＴＳの場合、動作規格は、スペクトル拡散アップリンク信号を実質的に連続して送信することを各移動局に要求する。これらの信号は、システムによって持続時間が指定される連続したフレームまたはタイムスロットにフォーマットされる。２つの信号がしばしば連続的に送信されるが、これらは専用物理データ・チャネルＤＰＤＣＨ（ｄｅｄｉｃａｔｅｄ  ｐｈｙｓｉｃａｌ  ｄａｔａ  ｃｈａｎｎｅｌ）および専用物理制御チャネルＤＰＣＣＨ（ｄｅｄｉｃａｔｅｄ  ｐｈｙｓｉｃａｌ  ｃｏｎｔｒｏｌ  ｃｈａｎｎｅｌ）であり、これらの信号が図１に示されている。データがないときは、ＤＰＣＣＨだけが送信される。ＤＰＤＣＨおよびＤＰＣＣＨチャネルの相対送信電力レベルＰＤおよびＰＣは、与えられたデータ・タイプ用の一定の電力比を維持するように調整され、それらの組み合わせ電力（ｃｏｍｂｉｎｅｄ  ｐｏｗｅｒ）は許容最大電力レベルＰｍａｘを上回らないように制御される。さらに、一定の電力比を維持している間、ＤＰＣＣＨの電力レベルＰＣは、閉ループ電力制御機構によって定期的に調整される。
【００１９】
図１の簡略版である図２を参照すると、基地局ＢＳは、高速ダウンリンク・パケット・アクセスＨＳＤＰＡ（Ｈｉｇｈ−Ｓｐｅｅｄ  Ｄｏｗｎｌｉｎｋ  Ｐａｃｋｅｔ  Ａｃｃｅｓｓ）を使用してパケット・データを特定された移動局に送信するために、時々ダウンリンクを使用する。ＵＭＴＳ規格の下では、移動局ＭＳは、各ＨＳＤＰＡパケットを受信する毎に、例えば巡回冗長検査（ＣＲＣ）評価の結果に応じて、肯定応答（ＡＣＫ）または否定応答（ＮＡＣＫ）を送信しなければならない。
【００２０】
図３を参照すると、ＡＣＫおよびＮＡＣＫは、スペクトル拡散信号としていわゆる高速専用物理制御チャネル（ＨＳ−ＤＰＣＣＨ）上で送信されるが、このチャネルのタイムスロットは、連続アップリンク信号ＤＰＤＣＨおよびＤＰＣＣＨを伝送するその他のアップリンク・チャネル上のタイムスロットとは揃っていない。ＡＣＫおよびＮＡＣＫの相対送信電力は異なっており、それぞれの送信電力は、基地局ＢＳで決定され、移動局ＭＳに通知される。
【００２１】
連続アップリンク信号と並行するＡＣＫまたはＮＡＣＫの送信によって、許容限度を超える送信電力が必要になる場合、送信電力は低減されなければならない。それぞれの信号電力の調整が、ＨＳＤＰＡパケットのＣＲＣが評価されるまで遅延すると、大きなパケットの場合、ＵＭＴＳ規格で指定されるようにＤＰＣＣＨスロット境界で調整を行うことは、不可能でないにしても、困難になるだろう。
【００２２】
この問題を回避するために、本発明による方法は、その他のアップリンク・チャネル、すなわちＤＰＤＣＨおよびＤＰＣＣＨの送信電力を、ＡＣＫまたはＮＡＣＫ送信の開始直前のタイムスロット境界で低減させる。しかし、上述したように、ＡＣＫ用の送信電力は、ＮＡＣＫ用の送信電力と異なる必要がある。したがって、移動局ＭＳが、連続信号ＤＰＤＣＨおよびＤＰＣＣＨの電力をどれだけ低減すべきかを、ＡＣＫまたはＮＡＣＫ送信の開始前のスロット境界に間に合うように知るべきであるならば、ＡＣＫ／ＮＡＣＫ送信のタイミングによって許される時間よりも速みやかに、ＣＲＣ評価プロセスを完了する必要があるだろう。これは可能ではないので、移動局ＭＳは、ＡＣＫ／ＮＡＣＫ送信の開始前のタイムスロットで、ＡＣＫとＮＡＣＫとのどちらかより高い電力要求ＰＡ、電力要求ＰＮを有するほうに対応する量だけ送信電力を低減する。このようにして、移動局ＭＳは、ＣＲＣ評価プロセスの最終結果に関係なく、十分な送信電力がＡＣＫ／ＮＡＣＫ送信で利用できるよう保証することができる。
【００２３】
その原理が図３および図４で図示されている。図３では、移動局ＭＳは最初、その最大許容電力Ｐｍａｘ＝ＰＣ１＋ＰＤ１で送信している。ＰＡは２ＰＣであると規定され、ＰＮはＰＣに等しいと規定されるものとする。その場合、ＤＰＤＣＨおよびＤＰＣＣＨの電力はそれぞれ、次式のように、ＰＤ２およびＰＣ２まで低減されなければならない。
ＰＣ２＋ＰＤ２＋ＰＡ＝Ｐｍａｘ
すなわち、
ＰＣ２＋ＰＤ２＋２ＰＣ２＝Ｐｍａｘ
制御チャネルとデータ・チャネルとの間の電力比は、ＰＤ２／ＰＣ２＝ＰＤ１／ＰＣ１となるように維持される。
【数１】
2007502563.tif 000003
【００２４】
したがって、図４では、水平の破線は、最大許容送信電力Ｐｍａｘを示している。送信されるＡＣＫまたはＮＡＣＫがない場合、ＰＤ１とＰＣ１との組み合わせ最大振幅はＰｍａｘに等しい。しかし、ＡＣＫまたはＮＡＣＫを送信する直前のフレームまたはタイムスロット境界では、これらの振幅は、例えば、電力比ＰＤ／ＰＣを一定に維持しながらＤＰＣＣＨを低減することによって調整される。このように、ＡＣＫまたはＮＡＣＫのより電力が高いほうを送信するための容量が残されるが、より電力の低いほうが送信されるかもしれず、その結果、組み合わせ送信電力はＰｍａｘより低くなることもあり得る。
【００２５】
図５に示されたフローチャートは、本発明による方法を実施する際に第２の局（secondary station）によって実行される動作を要約したものである。ブロック５０は、最大許容電力レベルＰｍａｘ以下の組み合わせ送信電力レベルで、ＤＰＤＣＨおよびＤＰＣＣＨ信号を連続的に送信する移動局ＭＳに関する。ブロック５２は、ダウンリンクＨＳＤＰＡパケット・データ信号でパケット・データを受信する移動局に関する。ブロック５４は、ＡＣＫまたはＮＡＣＫ信号の電力レベルと、２つのレベルのうち大きい方とを決定する移動局を示す。ブロック５６は、ＤＰＤＣＨと、ＤＰＣＣＨと、ＡＣＫまたはＮＡＣＫ信号のより電力が高い方とを含むアップリンク信号が、Ｐｍａｘを上回っているかどうかの検査を示す。検査の答えがイエス（Ｙ）の場合、ブロック５８で、移動局のスケーリング・ステージ３６（図１）が、Ｐｍａｘを超えることがないように、少なくともＤＰＣＣＨチャネルの電力をスケーリングする。フローチャートはブロック６０に進む。ブロック５６の答えがノー（Ｎ）の場合、フローチャートはブロック６０に進む。ブロック６０は、ＡＣＫまたはＮＡＣＫの送信前のフレームまたはタイムスロット境界でＤＰＤＣＨおよびＤＰＣＣＨチャネルの電力を低減する移動局の電力制御ステージ３４（図１）を示す。ブロック６２は、ＡＣＫまたはＮＡＣＫを送信する移動局ＭＳに関する。
【００２６】
本発明による方法を実施する場合、ＤＰＣＣＨ電力のスケーリングは、例えば、閉ループ電力制御プロセスまたはＤＰＤＣＨ上のデータ・フォーマットの変化に起因する、要求された電力増加と同時に行うことができる。この場合、本発明によるスケーリング・プロセスの結果は、実際には、ＤＰＣＣＨ（＋ＤＰＤＣＨ）の送信電力を増加させることになるかもしれないが、閉ループ電力制御プロセスおよび／またはＤＰＤＣＨデータ・フォーマットの変化によって要求された量よりも増加は小さい。この状況は、ＰＣ１とＰＤ１との合計がＰｍａｘより小さいが、スケーリングが適用されない場合であって、ＰＣ２＋ＰＤ２＋（ＰＡとＰＮの大きいほう）の合計がＰｍａｘより大きくなる場合に生じることがあり得る。
【００２７】
別の実施形態では、付加信号は、ＡＣＫ／ＮＡＣＫ信号以外の情報を伝送することができ、例えば、（ＵＭＴＳの拡張アップリンク案（ｐｒｏｐｏｓｅｄ  ｅｎｈａｎｃｅｄ  ｕｐｌｉｎｋ）におけるような）パケット・データ、またはその他の信号情報を伝送することができる。
【００２８】
さらに別の図示されていない実施形態では、移動局よりもむしろ基地局が、本発明による方法を実施するよう要求されてもよい。
【００２９】
本発明による方法は、スペクトル拡散通信システムに関して説明されたが、本発明の教示は、送信機電力制御を有するその他のシステムにも適用されることができる。
【００３０】
本明細書および特許請求の範囲では、要素の前に付された語「１つの（ａまたはａｎ）」は、そのような要素の複数の存在を排除するものではない。さらに、語「備える（ｃｏｍｐｒｉｓｉｎｇ）」は、列挙されたもの以外の要素またはステップの存在を排除するものではない。
【００３１】
本開示を読めば、その他の修正は当業者には明らかであろう。そのような修正は、電気通信システムおよび電気通信システム用の構成部品の設計、製造、および使用においてすでに知られており、本明細書ですでに説明された特徴に代わってまたは追加して使用されることができる、その他の特徴を含むことができる。
【図面の簡単な説明】
【００３２】
【図１】ＵＭＴＳ通信システムの概略ブロック図である。
【図２】ダウンリンクおよびアップリンク信号を説明する簡略化された概略ブロック図である。
【図３】アップリンク信号を個別に示すタイミング図である。
【図４】アップリンク信号の組み合わせを示すタイミング図である。
【図５】本発明による方法の一実施形態を示すフローチャートである。
【図１】
2007502563.tif 000004
【図２】
2007502563.tif 000005
【図３】
2007502563.tif 000006
【図４】
2007502563.tif 000007
【図５】
2007502563.tif 000008
【国際調査報告】
2007502563.tif 000009
2007502563.tif 000010
2007502563.tif 000011
2007502563.tif 000012